(57)【要約】【課題】液晶タイプのかご内表示装置について、その機能を損なうことなく液晶ディスプレイの焼き付きを効果的に防止できるようにする。【解決手段】かご内乗客に提供すべき情報を液晶ディスプレイに表示するようになっているエレベータのかご内表示装置について、液晶ディスプレイにおける現在の表示内容を一旦消去した後、その消去時点での表示内容を再度表示することを交互に繰り返す点滅表示を行えるようにし、乗りかごが停止中で、かつ一定の呼び登録基準時間以上呼び登録がないことを必要条件として点滅表示を行うようにしている。【選択図】  図４
2010006520.tif 000002
【特許請求の範囲】
【請求項１】
液晶パネルとバックライトを有した液晶ディスプレイを備え、かご内乗客に提供すべき情報を前記液晶ディスプレイに表示するようになっているエレベータのかご内表示装置において、
前記液晶ディスプレイにおける現在の表示内容を一旦消去した後、その消去時点での表示内容を再度表示することを交互に繰り返す点滅表示を行えるようにされており、前記乗りかごが停止中で、かつ一定の呼び登録基準時間以上呼び登録がないことを必要条件として前記点滅表示を行うようにされていることを特徴とするかご内表示装置。
【請求項２】
かご内乗客があることをさらなる必要条件として前記点滅表示を行うようにされていることを特徴とする請求項１に記載のかご内表示装置。
【請求項３】
前記乗りかごが停止中で、かつ一定の呼び登録基準時間以上呼び登録がない場合に、前記点滅表示の実行に先立って、前記バックライトを減光させるバックライト減光をなすようにされていることを特徴とする請求項１又は請求項２に記載のかご内表示装置。
【請求項４】
前記バックライト減光状態が一定の減光基準時間以上継続し、かつかご内乗客がない場合に前記バックライトを消灯させるバックライト消灯をなすようにされていることを特徴とする請求項１〜請求項３のいずれか１項に記載のかご内表示装置。
【発明の詳細な説明】
【技術分野】
【０００１】
本発明は、エレベータの乗りかご内に設けられるかご内表示装置に係り、特に液晶ディスプレイが用いられたかご内表示装置に関する。
【背景技術】
【０００２】
エレベータの乗りかごにはかご内表示装置が設けられる。かご内表示装置は、従来にあっては階案内表示（乗りかごの現在階や行き先階の案内表示）を行うだけであるのが通常で、発光ダイオード方式を用いるのが一般的であった。しかし最近は、例えば何らかの事情でエレベータを停止させるような事態を生じた場合にその事態をかご内表示装置で表示して報知することにより、聴覚障害者にも的確な情報提供を行えるようにするなど、エレベータの利用環境の向上への要求が高まっている。そしてこれを受けて、精細度の高い表示による多彩な表示を可能とする液晶ディスプレイを用いた液晶タイプのかご内表示装置とする場合が増える傾向にある。なお、液晶タイプのかご内表示装置については、特許文献１や特許文献２などに開示の例が知られている。
【０００３】
【特許文献１】特開２００４−２６４３１号公報
【特許文献２】特開平１１−２０９０３９号公報
【発明の開示】
【発明が解決しようとする課題】
【０００４】
上述のように、最近はかご内表示装置を液晶タイプとする場合が増える傾向にあるが、それについては液晶ディスプレイに特有な焼き付きの問題がある。
【０００５】
かご内表示装置は、多彩な表示を行えるようにする場合でも、表示内容として階案内表示が不可欠となる。この場合、乗りかごが停止している状態では階案内表示が固定的となる。つまり乗りかごが停止している状態では停止階に応じた階案内表示が継続される固定表示がなされることになる。
【０００６】
エレベータの時間的な利用率は一般的に３％といわれ、乗りかごが停止している時間がほとんどで、かご内表示装置における表示が時間以上にわたって固定表示となる場合が少なからずある。またエレベータを停止させるような事態を生じてその案内表示を行う場合、エレベータの停止中はその案内表示を固定表示する必要があり、このことでも長時間の固定表示がなされ得る。一方、液晶ディスプレイは、１時間程度の固定表示でも焼き付きを生じるとされる。こうしたことから、かご内表示装置に液晶ディスプレイを用いる場合、その液晶ディスプレイは焼き付きに関して過酷な条件にあるといえる。
【０００７】
液晶ディスプレイの焼き付きは、一般的にいえば、スクリーンセーバを行うなどして固定表示の継続時間を焼き付き発生時間以下にすることで防止することは可能である。しかし、エレベータでは、安全面での配慮などから呼び登録がなくて乗りかごが停止している状態でもかご内表示装置における表示を一定時間以上保持する必要があり、スクリーンセーバのような表示内容の変化を伴う焼き付き防止手法を用いることには難がある。
【０００８】
こうしたことから、かご内表示装置を液晶タイプとするについては、かご内表示装置に求められる機能を損なうことなく効果的に液晶ディスプレイの焼き付きを防止できるようにすることが望まれる。
【０００９】
またかご内表示装置を液晶タイプとするについては、液晶ディスプレイにおけるバックライトの寿命の問題もある。すなわちバックライトに通常的に用いられる冷陰極管は発光ダイオードに比べて寿命が短く、そのために液晶ディスプレイを用いた場合に、発光ダイオード方式に比べてかご内表示装置の耐久性が大幅に低下するという問題である。
【００１０】
バックライトの寿命は、延べ点灯時間に支配される一方で、ＯＮ・ＯＦＦの繰返し（点灯と消灯の繰返し）にも大きく影響される。そのためＯＮ・ＯＦＦ頻度が高くなると、例えば延べ点灯時間に基づく寿命が３年であっても１年程度で寿命となってしまうというように大幅に寿命が短くなってしまうのが通常である。
【００１１】
こうしたことから、かご内表示装置を液晶タイプとするについては、延べ点灯時間とＯＮ・ＯＦＦ頻度のバランスを適切化してバックライトの寿命をできるだけ長くすることができるようなバックライト寿命対策が望まれる。
【００１２】
本発明は、以上のような事情を背景になされたものであり、液晶タイプのかご内表示装置について、その機能を損なうことなく液晶ディスプレイの焼き付きを効果的に防止できるようにすることを課題とし、またバックライトの長寿命化を図れるようにすることを付随的な課題としている。
【課題を解決するための手段】
【００１３】
液晶ディスプレイの焼き付きは、固定表示の継続により液晶の配向が固定化されることで生じる。そのため焼き付き発生時間、つまり液晶配向の固定化発生時間よりも短い時間中に液晶の配向に変化を与えるようにすれば焼き付きを効果的に防止することが可能である。この場合、焼き付き防止に必要な液晶の配向変化は、現在の表示内容を消去することで与えることができる。そしてその現在表示内容消去の時間が十分に短ければ、液晶ディスプレイにおける表示がかご内乗客に違和感を与えるような状態となるのを避けることが可能であり、また仮に違和感を与えるようなことがあっても、乗りかごが一定時間以上停止している状態に限られるなら、エレベータの運用上で障害となることもない。
【００１４】
こうしたことから、液晶ディスプレイにおける現在の表示内容を一旦消去した後、その消去時点での表示内容を再度表示することを適宜な時間間隔で交互に繰り返す点滅表示を行えるようにし、そしてその点滅表示を固定表示の生じ易い状態、具体的には乗りかごが停止中で、かつ一定時間以上呼び登録がない状態にあって行うようにすることで、かご内表示装置に求められる機能を損なうことなく効果的に液晶ディスプレイの焼き付きを防止することが可能である。
【００１５】
本発明では、以上のような考え方に基づいて上記課題を解決する。具体的には、液晶パネルとバックライトを有した液晶ディスプレイを備え、かご内乗客に提供すべき情報を前記液晶ディスプレイに表示するようになっているエレベータのかご内表示装置において、前記液晶ディスプレイにおける現在の表示内容を一旦消去した後、その消去時点での表示内容を再度表示することを交互に繰り返す点滅表示を行えるようにされており、前記乗りかごが停止中で、かつ一定の呼び登録基準時間以上呼び登録がないことを必要条件として前記点滅表示を行うようにされていることを特徴としている。
【００１６】
上記のようなかご内表示装置における液晶ディスプレイの点滅表示は、液晶ディスプレイによる表示自体を必要としない状態、具体的には乗客がないままでの乗りかご停止が一定時間以上継続する状態では不要となる。したがってそのような場合には、液晶ディスプレイによる表示自体を停止するようにするのが好ましく、そのようにすることにより、液晶ディスプレイにおける表示時間、つまりバックライトの点灯時間を減らすことができるとともに、バックライトのＯＮ・ＯＦＦ頻度が過剰になるのも避けることができ、バックライトの長寿命化を図ることができる。
【００１７】
こうしたことから本発明では、上記のようなかご内表示装置について、かご内乗客があることをさらなる必要条件として前記点滅表示を行うようにするものとしている。
【００１８】
上述のように、エレベータでは、安全面での配慮などから呼び登録がなくて乗りかごが停止している状態でもかご内表示装置における表示を一定時間以上保持する必要がある。一方、液晶ディスプレイには、バックライトの光量をある程度減らしても表示に大きな違和感をもたらすことがないという特性がある。このため呼び登録なしの乗りかご停止状態で保持が要求される表示については、例えば４０％程度までの減光による表示でもその要求を十分に満足させることが可能であり、そのようにすることにより、バックライトの負担を軽減することができ、バックライトの長寿命化を図ることができる。
【００１９】
こうしたことから本発明では、上記のようなかご内表示装置について、前記乗りかごが停止中で、かつ一定の呼び登録基準時間以上呼び登録がない場合に、前記点滅表示の実行に先立って、前記バックライトを減光させるバックライト減光をなすようにするものとしている。
【００２０】
上述のように、乗客がないままでの乗りかご停止が一定時間以上継続する状態では液晶ディスプレイによる表示自体を必要とせず、そのような状態にあっては液晶ディスプレイによる表示を停止させるようにすることで、バックライトの点灯時間を減らすことができるとともに、バックライトのＯＮ・ＯＦＦ頻度が過剰になるのも避けることができ、バックライトの長寿命化を図ることができる。
【００２１】
こうしたことから本発明では、上記のようなかご内表示装置について、前記バックライト減光状態が一定の減光基準時間以上継続し、かつかご内乗客がない場合に前記バックライトを消灯させるバックライト消灯をなすようにするものとしている。
【発明の効果】
【００２２】
以上のような本発明によれば、液晶タイプのかご内表示装置について、その機能を損なうことなく液晶ディスプレイの焼き付きを効果的に防止できるようになり、またバックライトの長寿命化も図ることができる。
【発明を実施するための最良の形態】
【００２３】
以下、本発明を実施するための形態について説明する。図１に、一実施形態によるかご内表示装置１の構成を示す。かご内表示装置１は、液晶ディスプレイ２と表示制御装置３を備える。
【００２４】
液晶ディスプレイ２は、バックライト方式であり、液晶パネル４とバックライト５を有している。この液晶ディスプレイ２は、図２に示す例のような表示を液晶パネル４に行えるようにされている。具体的には、階案内表示領域６と情報表示領域７が仮想的に設けられ、階案内表示領域６には乗りかごの現在階や行き先階についての案内を表示し、情報表示領域７にはエレベータの現在状況に応じた適宜な情報を表示するようにされている。なお、図の例では情報表示領域７の表示内容が「次は２階に止まります。」となっているが、例えば地震でエレベータを非常停止させる事態を生じた場合には、それについての情報が表示内容として表示されたりすることになる。
【００２５】
図３に示すのは、液晶ディスプレイ２を実装したエレベータの乗りかご１１の内部の様子の一例である。乗りかご１１は、ドアパネル１２の脇における脇パネル１３に操作盤１４が装着されるとともに、操作盤１４の上方に液晶ディスプレイ２が装着されている。
【００２６】
図１に戻って、表示制御装置３は、液晶パネル４における表示内容や表示状態を制御し、またバックライト５の点灯状態を制御する。その制御は、エレベータ制御装置１５から得られる情報に基づいてなされ、バックライト５の点灯状態制御は、バックライト５に電源を供給するインバータ１６を介してなすようにされている。ここで、表示制御装置３がエレベータ制御装置１５から得る情報としては、乗りかごの運転状況情報（停止中、運転中、現在階、行き先階など）、呼び登録情報、乗りかご内の乗客の有無情報（これはかご荷重検出装置１７によるかご荷重の検出値に基づいて得られる）、乗りかごの非常停止情報などがある。
【００２７】
表示制御装置３による液晶パネル４の表示制御では、液晶パネル４の焼き付きを防止できるようにする制御がなされ、また表示制御装置３によるバックライト５の点灯制御では、バックライト５の長寿命化を図れるようにする制御がなされる。以下ではこれらの制御の具体的な例について説明する。
【００２８】
焼き付き防止とバックライト長寿命化に関する制御は、図４にその流れを示すように、ステップＳ１１〜ステップＳ２１の各処理過程を含み、一定の周期で繰り返すようにしてなされる。まずステップＳ１１でバックライトが点灯中かを判定する。点灯中でなければ処理を終了し、点灯中であればステップＳ１２に進む。ステップＳ１２では、乗りかごが停止中であるかを判定する。停止中でなければ処理を終了し、停止中であればステップＳ１３に進む。
【００２９】
ステップＳ１３では、呼び登録の有無を判定する。呼び登録ありの場合は処理を終了し、呼び登録なしの場合はステップＳ１４に進む。ステップＳ１４では、呼び登録なし時間ｔ１をカウントし、続くステップＳ１５では、ステップＳ１４でカウントされた呼び登録なし時間ｔ１を予め設定の呼び登録基準時間Ｔ１に関して判定する。具体的にはｔ１がＴ１以上となったかを判定する。ｔ１がＴ１以上でなければステップＳ１４に戻ってカウントを継続し、ｔ１がＴ１以上となったらステップＳ１６に進む。
【００３０】
ステップＳ１６では、バックライトを減光する。実験によれば、最大光量の４０％程度まで減光してもほとんど人に気づかれないことが分っている。そこで、バックライトの減光は、最大光量の４０％程度の光量となるように行うのが好ましい。このようなバックライト減光は、ステップＳ１２、ステップＳ１３、ステップＳ１５の各判定がいずれも肯定的である場合になされる。つまりバックライト減光は、乗りかごが停止中で、かつ一定の呼び登録基準時間以上呼び登録がないことを条件にしてなされるということである。
【００３１】
ステップＳ１７では、バックライト減光継続時間ｔ２をカウントし、続くステップＳ１８では、ステップＳ１７でカウントされたバックライト減光継続時間ｔ２を予め設定の減光基準時間Ｔ２に関して判定する。具体的にはｔ２がＴ２以上となったかを判定する。ｔ２がＴ２以上でなければステップＳ１７に戻ってカウントを継続し、ｔ２がＴ２以上となったらステップＳ１９に進む。
【００３２】
ステップＳ１９では、かご内乗客の有無を判定する。かご内乗客ありの場合はステップＳ２０に進んでバックライトを点滅表示とし、処理を終了する。ここで、バックライトの点滅表示は、図２の例のような表示が液晶パネル４で現在なされている場合であれば、その現在の表示内容を一旦消去した後、その消去時点での表示内容を再度表示することを交互に繰り返す。この繰り返しは、一定の周期でなさせるのが通常であるが、周期性は必ずしも必要でなく、かご内乗客に大きな違和感を与えることのないような適宜な時間間隔でなすようにすれば足りる。
【００３３】
ステップＳ２０におけるバックライトの点滅表示は、ステップＳ１２、ステップＳ１３、ステップＳ１５、ステップＳ１８、ステップＳ１９の各判定がいずれもが肯定的である場合になされる。つまりバックライトの点滅表示は、乗りかごが停止中で、かつ一定の呼び登録基準時間以上呼び登録がないという条件が満たされ、さらに減光継続時間が一定の減光基準時間以であり、かつかご内乗客ありという条件が満たされた場合になされるということである。ただし、焼き付き防止という観点だけでは、かご内乗客についての条件を省略し、かご内乗客の有無にかかわりなく点滅表示を行うようにしてもよい。
【００３４】
一方、ステップＳ１９でかご内乗客なしと判定された場合はステップＳ２１に進んでバックライトを消灯して表示を停止し、処理を終了する。このバックライトの消灯・表示停止は、ステップＳ１２、ステップＳ１３、ステップＳ１５、ステップＳ１８の各判定がいずれも肯定的であり、ステップＳ１９の判定が否定的である場合になされる。つまりバックライトの消灯・表示停止は、乗りかごが停止中で、かつ一定の呼び登録基準時間以上呼び登録がないという条件が満たされ、さらに減光継続時間が一定の減光基準時間以であり、かつかご内乗客なしという条件が満たされた場合になされるということである。
【００３５】
以上のような制御を液晶ディスプレイ２に対して行うことにより、かご内表示装置１に求められる機能を損なうことなく効果的に液晶パネル４の焼き付きを防止することが可能となり、またバックライト５の点灯時間を減らすことができるとともに、バックライト５のＯＮ・ＯＦＦ頻度が過剰になるのも避けることができ、バックライト５の長寿命化を図ることができる。
【００３６】
以上、本発明を実施するための形態について説明したが、これは代表的な例に過ぎず、本発明はその趣旨を逸脱することのない範囲で様々な形態で実施することができる。
【図面の簡単な説明】
【００３７】
【図１】一実施形態によるかご内表示装置の構成を示す図である。
【図２】液晶ディスプレイでなされる表示の例を示す図である。
【図３】液晶ディスプレイを実装した乗りかごの内部構成例示す図である。
【図４】焼き付き防止とバックライト長寿命化に関する制御の流れを示す図である。
【符号の説明】
【００３８】
１    かご内表示装置
２    液晶ディスプレイ
３    表示制御装置
４    液晶パネル
５    バックライト
【図１】
2010006520.tif 000003
【図２】
2010006520.tif 000004
【図３】
2010006520.tif 000005
【図４】
2010006520.tif 000006